(57)【要約】  板金部品１に設けた板状の舌片を、板金部品１に接続する基部に対して略直角に折り曲げてなる舌片３と、板金部品２の取り付け面の端部から延設した略Ｌ字状の舌片を、当該取り付け面に対して略直角に折り曲げてなる舌片４と、板金部品２の取り付け面と舌片３のいずれか一方に設けられ、舌片３を板金部品２の取り付け面と舌片４で挟み込んで板金部品１を板金部品２に取り付けたときに、対向する面に当接して与圧する突起部２ａとを備える。
2014002261.tif 000002
【特許請求の範囲】
【請求項１】
第１の部品を第２の部品に取り付ける部品の取り付け構造において、
前記第１の部品に設けた板状の舌片を、前記第１の部品に接続する基部に対して略直角に折り曲げてなる第１の舌片と、
前記第２の部品の取り付け面の端部から延設した略Ｌ字状の舌片を、当該取り付け面に対して略直角に折り曲げてなる第２の舌片と、
前記第２の部品の取り付け面と前記第１の舌片のいずれか一方に設けられ、前記第１の舌片を前記第２の部品の取り付け面と前記第２の舌片で挟み込んで前記第１の部品を前記第２の部品に取り付けたときに、対向する面に当接して与圧する突起部とを備えることを特徴とする部品の取り付け構造。
【請求項２】
前記第２の舌片は、前記第２の部品の取り付け面との間に前記第１の舌片をガイドする傾斜面を有することを特徴とする請求項１記載の部品の取り付け構造。
【請求項３】
前記第１の舌片と前記第２の舌片のいずれか一方に設けた嵌合穴と、
前記第１の舌片と前記第２の舌片のいずれか一方に設けられて、前記第１の舌片を前記第２の部品の取り付け面と前記第２の舌片で挟み込んだときに前記嵌合穴に嵌合することにより、前記第２の部品の取り付け面と前記第２の舌片から前記第１の舌片が外れる方向に移動することを規制する嵌合突起部とを備えることを特徴とする請求項１記載の部品の取り付け構造。
【請求項４】
前記第１の舌片を前記第２の部品の取り付け面と前記第２の舌片で挟み込んで前記第１の部品を前記第２の部品に取り付けた状態を固定する固定部を備えることを特徴とする請求項１記載の部品の取り付け構造。
【発明の詳細な説明】
【技術分野】
【０００１】
この発明は、板金製の取り付け部材を有する部品の取り付け構造に関する。
【背景技術】
【０００２】
従来、板金製の取り付け部材を介して部品同士を取り付ける構造としては、一般的に、ネジ材などの締結部品を利用するものが多かった。この構造では、各部品の取り付け部材に対してバーリング加工やタップ加工などの締結加工を施す必要があり、また治具か手作業で互いのネジ穴を合わせながら締結作業を行う必要がある。すなわち、板金部材の成形以外に精密な締結加工が必要であり、別個にネジ材などの締結部品を用意しなければならない。また、締結を行うにはネジ穴を合わせた状態を維持する必要があり、取り付け時のハンドリングに制限があった。【０００３】
締結部品を利用しない従来の取り付け構造としては、例えば、特許文献１に開示されるものがある。この文献に記載される取り付け構造では、位置決め突起と舌片部を形成した取り付け部材を有する部品と、位置決め孔部と切り起こし片部を形成した取り付け部材を有する部品を備えており、位置決め突起が位置決め孔部に嵌合すると、切り起こし片部により形成される差し込み孔部に舌片部が嵌り込んで固定される。
【先行技術文献】
【特許文献】
【０００４】
【特許文献１】特開２０１０−２７２８２０号公報
【発明の概要】
【発明が解決しようとする課題】
【０００５】
締結部品を利用する取り付け構造では、板金部材の成形以外に締結加工が必要であり、必須であり、別個にネジ材などの締結部品を用意しなければならない。また、締結作業においてネジ穴を合わせた状態を維持しなければならず、取り付け時のハンドリングに制限があった。【０００６】
特許文献１に代表される従来の技術では、締結部品が不要であり、舌片部を差し込み孔部に嵌め込むだけで取り付けられる。
しかしながら、差し込み孔部に嵌り込んだ舌片部は、切り起こし片部と重なり合うだけであり、安定した固定がなされない。このため、取り付け後にがたつきが発生する可能性がある。【０００７】
この発明は、上記のような課題を解決するためになされたもので、締結部品を利用せずに部品同士を安定して取り付けることができる部品の取り付け構造を得ることを目的とする。
【課題を解決するための手段】
【０００８】
この発明に係る部品の取り付け構造は、第１の部品を第２の部品に取り付ける部品の取り付け構造において、第１の部品に設けた板状の舌片を、第１の部品に接続する基部に対して略直角に折り曲げてなる第１の舌片と、第２の部品の取り付け面の端部から延設した略Ｌ字状の舌片を、当該取り付け面に対して略直角に折り曲げてなる第２の舌片と、第２の部品の取り付け面と第１の舌片のいずれか一方に設けられ、第１の舌片を第２の部品の取り付け面と第２の舌片で挟み込んで第１の部品を第２の部品に取り付けたときに、対向する面に当接して与圧する突起部とを備えることを特徴とする。
【発明の効果】
【０００９】
この発明によれば、締結部品を利用せずに部品同士を安定して取り付けることができるという効果がある。
【図面の簡単な説明】
【００１０】
【図１】従来の部品の取り付け構造を示す斜視図である。
【図２】この発明の実施の形態１に係る部品の取り付け構造を示す斜視図である。
【図３】実施の形態１に係る部品の取り付け構造の要部を示す図である。
【図４】この発明の実施の形態２に係る部品の取り付け構造を示す斜視図である。
【図５】実施の形態２に係る部品の取り付け構造の要部を示す図である。
【図６】実施の形態２に係る部品の取り付け構造の他の態様を示す図である。
【図７】この発明の実施の形態３に係る部品の取り付け構造を示す斜視図である。
【図８】実施の形態３に係る部品の取り付け構造の他の態様を示す図である。
【発明を実施するための形態】
【００１１】
以下、この発明をより詳細に説明するため、この発明を実施するための形態について、添付の図面に従って説明する。
実施の形態１．
図１は、従来の部品の取り付け構造を示す斜視図である。図１に示すように、板金部品１００は、その一面の両側に接続する板状の舌片をその基部に対して略直角に折り曲げてなる舌片１００ａを有する。また、板金部品１０１は、その一面が舌片１００ａを介して板金部品１００を取り付けるための取り付け面となっている。
図１の例では、板金部品１００の上記一面に設けた外部コネクタなどを機器外部に露出させるために、板金部品１００を取り付けたときに板金部品１００の上記一面に対向する板金部品１０１の上記取り付け面の部分が切り欠かれている。
板金部品１００の舌片１００ａと板金部品１０１の取り付け面はともに板金製であり、この発明では、板金製の取り付け部材を有する部品を板金部品と呼ぶ。
【００１２】
従来の取り付け構造では、図１に示すように、板金部品１００の舌片１００ａと板金部品１０１の取り付け面をネジ１０２などの締結部品で取り付ける構造が一般的であった。この場合、板金部品１０１の取り付け面に貫通穴を形成し、舌片１００ａにはタップ加工したねじ穴を形成する必要があった。
また、板金部品１００の上記一面の両側で舌片１００ａを介して取り付けを行うため、板金部品１０１の取り付け面に形成する貫通穴とこれに対応する舌片１００ａのねじ穴を正確に位置合わせする必要がある。
さらに、板金部品１００を板金部品１０１に取り付けるときには、板金部品１０１の取り付け面の貫通穴を舌片１００ａのネジ穴を合わせた状態を維持しながら、ネジ１０２による締結を行う必要があり、取り付け時のハンドリングに制限がある。
【００１３】
そこで、この発明では、締結部品を利用せずに板金部品同士を安定して取り付ける構造を提案する。この構造を採用することにより、上述したような精度が必要な加工が省略され、取り付けも容易となる。
図２は、この発明の実施の形態１に係る部品の取り付け構造を示す斜視図である。図２に示す板金部品１は、図１の板金部品１００と同様に、その一面の両側に接続する板状の舌片をその基部に対して略直角に折り曲げてなる舌片３を有する。また、板金部品２は、その一面が舌片３を介して板金部品１を取り付けるための取り付け面となっている。
図２においても、板金部品１の上記一面に設けた外部コネクタなどを機器外部に露出させるために、板金部品１を取り付けたときに板金部品１の上記一面に対向する板金部品２の上記取り付け面の部分が切り欠かれている。
【００１４】
この発明における特徴的な構成として、板金部品２は、その取り付け面の端部から延設した略Ｌ字状の舌片を当該取り付け面に対して略直角に折り曲げてなる舌片４を有する。
さらに、板金部品２の取り付け面には、舌片３を板金部品２の取り付け面と舌片４とで挟み込んで板金部品１を板金部品２に取り付けたときに、対向する面に当接して与圧する突起部２ａが形成されている。
【００１５】
図３は、実施の形態１に係る部品の取り付け構造の要部を示す図であって、図３（ａ）は板金部品１，２の取り付け態様を示しており、図２に記載した矢印Ａの矢示図である。また、図３（ｂ）は、板金部品１，２を取り付けたときの状態を、図３（ａ）に記載した矢印Ｂ方向から見た図である。
図３（ａ）に示すように、舌片４は、板金部品２の取り付け面の端部から延設した略Ｌ字状の舌片を取り付け面に対して略直角に折り曲げる際に、矢印Ａ方向から見て取り付け面と舌片４の端面との距離がａ、すなわち板金部品１の舌片３の厚さと同程度になるように形成する。このように構成することで、舌片３を板金部品２の取り付け面と舌片４とで挟み込んで板金部品１を板金部品２に取り付けたときに、突起部２ａが、対向する舌片３の面に当接して与圧する。この与圧力によって、図３（ｂ）に示すように、板金部品１の両側の舌片３に対向する板金部品２の取り付け面がそれぞれ弾性変形して、板金部品２の取り付け面と舌片４による舌片３の保持力がアップする。
【００１６】
さらに、図３（ｂ）に示すように、板金部品１の両側の各舌片３には、板金部品１，２を取り付けたときに、これらの基部に板金部品２の舌片４がそれぞれ当接する。これにより、舌片４がストッパーとなって板金部品１が側方に動くことが規制され、板金部品１が両側にがたつくことがない。
【００１７】
また、舌片３が板金部品２の取り付け面と舌片４との間に滑らかに挟持されるように、図３（ｃ）に示すような傾斜面４ａを舌片４に形成してもよい。板金部品１を板金部品２に取り付けるときに舌片３の下部が傾斜面４ａに当接しても、舌片３の下部が傾斜面４ａに沿って滑るように移動して、舌片３が板金部品２の取り付け面と舌片４との間にガイドされる。このように構成することにより、さらに容易に板金部品１，２を取り付けることができる。
【００１８】
なお、取り付けを安定化させるための突起部２ａは、図３（ｄ）に示すように、舌片３側に設けてもよい。このように構成しても、舌片３の突起部２ａは、これに対向する板金部品２の取り付け面に当接して与圧するため、板金部品２の取り付け面と舌片４における舌片３の保持力がアップし、安定した取り付けが可能となる。
【００１９】
以上のように、この実施の形態１によれば、板金部品１に設けた板状の舌片を、板金部品１に接続する基部に対して略直角に折り曲げてなる舌片３と、板金部品２の取り付け面の端部から延設した略Ｌ字状の舌片を、当該取り付け面に対して略直角に折り曲げてなる舌片４と、板金部品２の取り付け面と舌片３のいずれか一方に設けられ、舌片３を板金部品２の取り付け面と舌片４で挟み込んで板金部品１を板金部品２に取り付けたときに、対向する面に当接して与圧する突起部２ａとを備える。
このように構成することで、締結部品を利用せずに、舌片３を板金部品２の取り付け面と舌片４で挟み込ませるだけで板金部品１を板金部品２に取り付けることができ、容易な取り付けが可能となる。また、突起部２ａが、板金部品１を板金部品２に取り付けたときに対向する面に当接して与圧するので、対向する面の弾性変形により板金部品１，２同士を安定して取り付けることができる。
【００２０】
また、この実施の形態１によれば、舌片４が、板金部品２の取り付け面との間に舌片３をガイドする傾斜面４ａを有するので、念密な矯正作業を必要をとせず、迅速な取り付け作業が可能となる。
【００２１】
実施の形態２．
図４は、この発明の実施の形態２に係る部品の取り付け構造を示す斜視図である。図５は、実施の形態２に係る部品の取り付け構造の要部を示す図であり、図５（ａ）は、板金部品１，２を取り付けた状態の斜視図であり、図５（ｂ）は図５（ａ）の符号Ｃを付した部分の拡大図である。図４に示すように、実施の形態２に係る板金部品１の舌片３には、その基部付近に嵌合穴３ａが形成される。また、板金部品２の舌片４には、舌片３を板金部品２の取り付け面と舌片４で挟み込んだときに嵌合穴３ａに嵌合する嵌合突起部４ｂが形成される。図４と図５において、図２と同一の機能を有する構成には同一符号を付して説明を省略する。
【００２２】
図５（ａ）に示すように、舌片３を板金部品２の取り付け面と舌片３で挟み込んだときに、嵌合突起部４ｂが嵌合穴３ａに嵌合する。
具体的には、舌片３を板金部品２の取り付け面と舌片４の間に押し込んでいくと、まず舌片３の下部が嵌合突起部４ｂの上部に当接する。この状態からさらに板金部品１を押し込んでいくことにより、舌片３の下部が嵌合突起部４ｂを乗り上げ、最終的に嵌合突起部４ｂが嵌合穴３ａに嵌合して取り付けが完了する。
嵌合突起部４ｂを乗り上げるときに、舌片３に弾性変形力が発生し、嵌合突起部４ｂが嵌合穴３ａに嵌合すると、その弾性変形力が一気に解放されてパチンという挿入感を発生させることができる。これにより、作業者は、板金部品１，２の取り付けが完了したことを上記挿入感によって把握でき、取り付け時の嵌合不良を防ぐことが可能になる。
【００２３】
なお、舌片３の下部が嵌合突起部４ｂを乗り上げやすくするために、板金部品１，２の取り付け時に舌片３を押し込む方向（図３（ａ）の矢印Ｂ方向）に傾斜した傾斜面を嵌合突起部４ｂに形成してもよい。これにより、舌片３の下部は、この傾斜面に沿って滑るように押し込まれる。
【００２４】
また、嵌合突起部４ｂは、図５（ｂ）に示すように、その下部がこれに対向する嵌合穴３ａの内壁部に当接した状態で嵌合穴３ａに嵌合する。これにより、舌片３が板金部品２の取り付け面と舌片４の間から外れる方向に移動することが規制されて、実施の形態１の構成と比較してさらに強固な取り付けが可能である。
【００２５】
図６は、実施の形態２に係る部品の取り付け構造の他の態様を示す図であって、図２に記載した矢印Ａ方向の矢示図である。
嵌合穴３ａと嵌合突起部４ｂを形成した構造においても、取り付けを安定化させるための突起部２ａを、図６（ａ）に示すように、舌片３側に設けてもよい。
このように構成しても、舌片３の突起部２ａは、これに対向する板金部品２の取り付け面に当接して与圧するため、板金部品２の取り付け面と舌片４における舌片３の保持力がアップし、安定した取り付けが可能となる。
また、舌片３が板金部品２の取り付け面と舌片４との間に滑らかに挟持されるように、図６（ａ）および図６（ｂ）に示すような傾斜面４ａを舌片４に形成してもよい。
【００２６】
さらに、図６（ｂ）に示すように、嵌合穴３ａを舌片４の端面部に形成し、この舌片４の端面部に対向する舌片３の端面部に嵌合突起部４ｂを形成してもよい。このように構成しても、舌片３の嵌合突起部４ｂが舌片４の端面を摺動するときに、舌片３に弾性変形力が発生し、嵌合突起部４ｂが嵌合穴３ａに嵌合すると、その弾性変形力が一気に解放されて挿入感を発生させることができる。また、舌片３の嵌合突起部４ｂが嵌合穴３ａに嵌合することでも、舌片３が板金部品２の取り付け面と舌片４の間から外れる方向に移動することが規制されて強固な取り付けが可能である。
【００２７】
以上のように、この実施の形態２によれば、舌片３と舌片４のいずれか一方に設けた嵌合穴３ａと、舌片３と舌片４のいずれか一方に設けられて、舌片３を板金部品２の取り付け面と舌片４で挟み込んだときに嵌合穴３ａに嵌合することにより、板金部品２の取り付け面と舌片４から舌片３が外れる方向に移動することを規制する嵌合突起部４ｂとを備える。このように構成することで、嵌合突起部４ｂが嵌合穴３ａに嵌合したときに舌片３の弾性変形力に起因した挿入感を発生させることができ、作業者が取り付け完了を把握しやすい。また、嵌合突起部４ｂによって舌片３が板金部品２の取り付け面と舌片４の間から外れる方向に移動することが規制され、実施の形態１の構成と比較してさらに強固な取り付けが可能である。
【００２８】
実施の形態３．
図７は、この発明の実施の形態３に係る部品の取り付け構造を示す斜視図である。図７に示すように、この実施の形態３では、舌片３を板金部品２の取り付け面と舌片４で挟み込んで板金部品１を板金部品２に取り付けた状態を固定する舌片５および取り付け面６を設けている。なお、図７において、図２および図４と同一の機能を有する構成には、同一符号を付して説明を省略する。
【００２９】
図７に示す例では、板金部品１の舌片３がある一面の下部に舌片５を設けており、板金部品１，２を取り付けたときに、この舌片５に対向する板金部品２の位置に取り付け面６を設けている。舌片５には、ネジ７を挿通する貫通穴が形成されており、取り付け面６には、ネジ７を螺合するネジ穴が形成されている。
貫通穴とねじ穴は、舌片３を板金部品２の取り付け面と舌片４で挟み込んで板金部品１を板金部品２に取り付けた状態で位置が合わさるようになっており、この状態でネジ７により締結される。
すなわち、上記実施の形態１，２の構成により板金部品１が板金部品２に安定して取り付けられた状態で締結可能となるので、従来のように締結作業をするためにハンドリングが制限されるようなことがない。
【００３０】
なお、固定部は、図８に示すように、締結部品を使用しない構成にすることもできる。図８（ａ）の例では、固定部を構成する舌片５を、嵌合突起部５ｂが形成された舌片５Ａとし、板金部品２の取り付け面６を、嵌合突起部５ｂを嵌合する嵌合穴６ａが形成された取り付け面６Ａとする。板金部品１，２を取り付けたときに、図８（ｂ）に示すように、舌片５Ａの嵌合突起部５ｂが取り付け面６Ａの嵌合穴６ａに嵌合して、板金部品１，２の取り付け状態が固定される。
【００３１】
また、舌片５Ａに嵌合突起部５ｂを形成し、取り付け面６Ａに嵌合穴６ａを形成した構成を示したが、舌片５Ａに嵌合穴６ａを形成し、取り付け面６Ａに嵌合突起部５ｂを形成してもよい。このように構成しても、上記と同様の効果が得られる。
【００３２】
以上のように、この実施の形態３によれば、舌片３を板金部品２の取り付け面と舌片４で挟み込んで板金部品１を板金部品２に取り付けた状態を固定する固定部となる、舌片５および取り付け面６を備えるので、実施の形態１，２の構成に比べて、さらに強固に板金部品１，２を取り付けることが可能である。
【００３３】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３４】
この発明に係る部品の取り付け構造は、締結部品を利用せずに部品同士を安定して取り付けることができるので、板金製の取り付け部材で部品同士を取り付ける各種の情報機器に好適である。
【符号の説明】
【００３５】
１，２  板金部品、３，４，５，５Ａ  舌片、２ａ  突起部、３ａ，６ａ  嵌合穴、４ａ  傾斜面、４ｂ，５ｂ  嵌合突起部、６，６Ａ  取り付け面、７  ネジ。
【図１】
2014002261.tif 000003
【図２】
2014002261.tif 000004
【図３】
2014002261.tif 000005
【図４】
2014002261.tif 000006
【図５】
2014002261.tif 000007
【図６】
2014002261.tif 000008
【図７】
2014002261.tif 000009
【図８】
2014002261.tif 000010
【国際調査報告】
2014002261.tif 000011
2014002261.tif 000012
2014002261.tif 000013
2014002261.tif 000014